(57)【要約】      （修正有）【課題】複数の光源の光によって表示板を透過照明する場合に、容易に輝度調整が可能な表示装置を提供する。【解決手段】複数の光源４ａ、４ｂ、４ｃと、光源４ａ、４ｂ、４ｃの光によって透過照明される意匠部を有した表示板と、表示板が載置されるケース体２と、ケース体２に一体成形された遮光部２１と、を備えた表示装置において、遮光部２１は、表示板と垂直方向に一定の厚みを有した厚肉部２２と、厚肉部２２よりも厚みが小さい薄肉部２３とが連結され、光源４ａ、４ｂ、４ｃの光は、薄肉部２３を透過することによって、光源４ａ、４ｂ、４ｃの光を遮光すると共に薄肉部２３を透過する光によって輝度調整をすることができる。【選択図】図２
2015105862.tif 000002
【特許請求の範囲】
【請求項１】
複数の光源と、前記光源の光によって透過照明される意匠部を有した表示板と、
前記表示板が載置されるケース体と、前記ケース体に一体成形された遮光部と、を備えた表示装置において、
前記遮光部は、前記光源の光の一部を透過させる薄肉部と、前記薄肉部よりも前記厚みが大きい厚肉部とを有することを特徴とする表示装置。
【請求項２】
前記光源は、前記厚肉部の真下に配置されることを特徴とする請求項１に記載の表示装置。
【発明の詳細な説明】
【技術分野】
【０００１】
本発明は、車両などに搭載される表示装置において、特に、意匠部を照明する光源の輝度を調節する遮光部を備えた表示装置に関するものである。
【背景技術】
【０００２】
従来の表示装置として、例えば特許文献１に開示されたものがある。斯かる表示装置は、回路基板と、この回路基板に配置され駆動軸が前方に延びる計器本体と、駆動軸の先端側に装着される指針と、この指針と回路基板との間に配置され指針に対応する表示部を有する前面パネルと、表示部の真下に位置し回路基板の表面側に配置され少なくとも表示部を照明する光源と、前面パネルと回路基板との間に配置される反射体とを備えている。
【先行技術文献】
【特許文献】
【０００３】
【特許文献１】特開２００９−１１７７３５号公報
【発明の概要】
【発明が解決しようとする課題】
【０００４】
しかしながら、特許文献１記載の表示装置は、反射体の真下に配置される光源の光を遮光するので、例えば複数の光源が配列されている場合、隣接した光源の光まで必要以上に遮光してしまうので、輝度調整が難しいという問題点があった。
【課題を解決するための手段】
【０００５】
そこで本発明は、複数の光源と、前記光源の光によって透過照明される意匠部を有した表示板と、前記表示板が載置されるケース体と、前記ケース体に一体成形された遮光部と、を備えた表示装置において、前記遮光部は、前記光源の光の一部を透過させる薄肉部と、前記薄肉部よりも前記厚みが大きい厚肉部とを有するものである。
【０００６】
また、本発明は、前記光源は、前記厚肉部の真下に配置されるものである。
【発明の効果】
【０００７】
複数の光源の光によって表示板を透過照明する場合に、容易に輝度調整が可能な表示装置を提供する。
【図面の簡単な説明】
【０００８】
【図１】本発明の第一実施形態を示す正面図。
【図２】同上実施形態を示すＡ−Ａ断面図。
【図３】同上実施形態を示すＢ−Ｂ断面図。
【図４】同上実施形態を示すＣ−Ｃ断面図。
【図５】本発明の変形例を示す断面図。
【発明を実施するための形態】
【０００９】
以下、添付した図１乃至図４図面に基づいて、本発明の一実施形態を説明する。図５は、変形例を示すものである。図１は、車両に搭載される表示装置の正面図であり、ステッピングモータによって駆動される指針が、表示板１に設けられた指標部を指示することで、視認者に車両情報を提供するものである。
【００１０】
表示装置は、主に、表示板１と、ケース体２と、回路基板３と、光源４とを備えている。
【００１１】
表示板１は、光透過性の透明樹脂からなる板材に遮光性の意匠枠を形成することによってなる透過性の意匠部１ａを備えてアンビエント表示などをするものである。  表示板１の片面側もしくは両面側には、スモーク層からなる半透過層１１が積層されている。さらに、表示板１の裏面側に積層された半透過層１１の片面側もしくは両面側には、光源４の光を拡散させるための拡散層１２が積層されている。また、意匠部１ａは、半透過層１１の裏面側に網点印刷層を備えていてもよい。
【００１２】
ケース体２は、本実施形態の場合、白い合成樹脂からなり、表示板１と回路基板３との間に配置され、表示板１が載置される。
【００１３】
回路基板４は、硬質の基板であって、後述する光源４や電子部品などを表面に実装している。
【００１４】
光源４は、本実施形態の場合、白、緑、青などの異なる色調を有した光源４ａ、４ｂ、４ｃから構成されている。
【００１５】
ケース体２は、表示板２方向に向かう光源４の光の一部を遮る遮光部２１を備えている。遮光部２１はケース体２と一体成形されている。
【００１６】
遮光部２１は、光源４ａ、４ｂ、４ｃの真上にそれぞれ位置する厚肉部２２と、厚肉部２２の間を連結する薄肉部２３と、ケース体２によって形成された空間Ｓ内を乱反射された光が表示板１の意匠部１ａに向かって反射される反射壁２４とから構成されている。
【００１７】
厚肉部２２は、図２、３に示すように、光源４に向かって垂直に突出し、光源４から出射した光の一部を遮光する。
【００１８】
薄肉部２３は、図２、４に示すように、厚肉部２２を連結するように配置され、厚肉部２２よりも厚みが小さく形成されている。薄肉部２３は、光源４の光が透過可能な厚さを有している。
【００１９】
本発明は、複数の光源４と、光源４の光によって透過照明される意匠部１ａを有した表示板１と、表示板１が載置されるケース体２と、ケース体２に一体成形された遮光部２１と、を備えた表示装置において、遮光部２１は、光源４の光の一部を透過させる薄肉部２３と、薄肉部２３よりも厚みが大きい厚肉部２２とを有することによって、光源４の光は、輝度が最も強い光が遮光され、厚肉部２２によって遮光されない光が薄肉部２３を透過し、反射壁２４によって反射される光と共に意匠部１ａを照明することができる。
【００２０】
また、本発明は、光源４は、厚肉部２２の真下に配置されることによって、光源４の輝度が最も強い光を遮光することができるので、輝度調整が容易となる。
【００２１】
また、図５に示すように、厚肉部２２と薄肉部２３は、光源４に面する形状が平面ではなく湾曲していてもよく、図２に示す厚肉部２２と薄肉部２３と同じように光源４の光の一部を遮光することができる。
【００２２】
なお、本実施形態では、表示板１に意匠部１ａが矩形に形成され、光源が横並びになっている例を説明したが、意匠部１ａの形状はこれに限定されるものではなく、例えばアーチ状や馬蹄状などでもよく、その場合も光源が意匠部の形状に対応して配置されるものである。
【符号の説明】
【００２３】
１    表示板
２    ケース体
３    回路基板
４、４ａ〜４ｃ    光源
１１  半透過層
１２  拡散層
２１  厚肉部
２２  薄肉部
２３  反射壁
Ｓ    空間
【図１】
2015105862.tif 000003
【図２】
2015105862.tif 000004
【図３】
2015105862.tif 000005
【図４】
2015105862.tif 000006
【図５】
2015105862.tif 000007